(57)【要約】【課題】レンズシフトした場合やレンズ交換した場合でも、誤操作することなく常に適切なキーストン補正を行うことができる画像投射装置を提供する。特に、４コーナーとタテヨコキーストンの２種類のキーストン補正方法を切り替え可能な場合に、タテヨコキーストン補正でも誤操作なく適切なキーストン補正を行うことができる。【解決手段】投射画像に対して幾何学歪補正を行う歪補正手段と、前記補正手段で補正を行うための補正パラメータを設定する設定手段と、タテヨコキーストン補正歪補正方法と、４コーナーキーストン補正方法と、何れか一方を選択する手段と、レンズシフト手段と、レンズシフト基準位置で無い場合にはタテヨコキーストン補正歪補正方法を選択不可能とすることを特徴とする構成とした。【選択図】  図１
2015145895.tif 000002
【特許請求の範囲】
【請求項１】
投射画像に対して幾何学歪補正を行う歪補正手段と、
前記歪補正手段で補正を行うための補正パラメータを設定する設定手段と、
投射方向に対し鉛直の２方向に対して補正パラメータを設定する補正手段と、
投射レンズを交換するレンズ交換手段と、
投射方向を可変する投射レンズシフト手段と、
前記シフト手段の位置検出手段とを有する画像投射装置であって、
前記交換レンズ毎に予め決められた投射レンズシフト基準位置を有し、
前記投射レンズシフト基準位置に対して前記第一の補正手段の補正パラメーターを設定する手段と、
前記投射レンズシフト基準位置が所定の範囲と一致しない場合には前記補正手段による歪補正を選択不可能とすることを特徴とする画像投射装置。
【請求項２】
前記補正手段よる歪補正を選択した場合には投射レンズシフト基準位置へ移動する
ことを特徴とする請求項１記載の画像投射装置。
【請求項３】
前記投射レンズは交換不可能な一体構成となっていることを特徴とする請求項１記載の画像投射装置。
【請求項４】
前記歪補正の選択手段は前記投射画像にオンスクリーンディスプレイメニューを多重表示する手段を用いることを特徴とする請求項１記載の画像投射装置。
【請求項５】
前記補正手段による歪補正は、投射方向に対し鉛直に上下方向、または左右の２方向であることを特徴とする請求項１記載の画像投射装置。
【発明の詳細な説明】
【技術分野】
【０００１】
本発明は、プロジェクタ等の画像投射装置に関し、特に投射レンズのキーストン歪補正方法を有する画像投射装置に関するものである。
【背景技術】
【０００２】
従来のプロジェクタ等の画像投射装置は、液晶パネル等の光変調素子（ライトバルブなどとも言う）によって画像変調された光を投射光学系を介してスクリーン等の投射面に投射することで投射画像を形成する。
【０００３】
このような画像投射装置によって被投射面における所望の領域に投射画像を歪み等がなく、アスペクト比などを最適に形成するためには、画像投射装置の向きや傾き等の投射条件を調整して正対させるなどの作業が必要となる。
【０００４】
更に、投射方向を上下左右などに煽ると、被投射面に形成される画像に幾何学的な歪みが生じてしまう。このような歪を画像投射装置では、キーストン歪と呼び、画像変形歪補正手段などを用いて補正することが一般的であった。
【０００５】
特許文献１では、投射面で歪んだ画像の４隅（以下４コーナーキーストン補正とする）から１点を選択して上下左右に画像変形を調整する方法について開示されている。
【０００６】
また、特許文献２では、自身の設置角度を検出し、検出した角度に応じて歪補正を行い、スクリーンに投射歪みのない像を表示するための投射型表示装置が開示されている。
【先行技術文献】
【特許文献】
【０００７】
【特許文献１】特許第３７４２０２７号明細書
【特許文献２】特開平４−４２６７９号公報
【発明の概要】
【発明が解決しようとする課題】
【０００８】
しかしながら、上述の特許文献２に開示された従来技術では、４コーナーから１つを選択して上下左右に画像を変形して調整する以下４コーナーキーストン補正とする方法について開示されているが、上下又は左右の投射方向に対するキーストン補正方法（以下タテヨコキーストン補正とする）との関連性や、レンズシフトした場合、投射レンズを交換した場合の記載がない。
【０００９】
また、上述の特許文献２に開示された従来技術では、レンズシフトした場合や投射レンズが交換され、光学特性が変化することが考慮されておらず、レンズシフトやレンズ交換後に適切でない歪補正を行い、スクリーンに投射歪のない像を表示することができない問題がある。
【００１０】
ここで画像投射装置の投射レンズのレンズシフトについて図６を用いて簡単に説明する。
【００１１】
図６は、レンズシフト機構を有する画像投射装置を用いてスクリーンに投射している状態を横から見たである。
【００１２】
図６、７，８は、特に上下（タテ）方向のレンズシフトについて示した図であるが、左右（ヨコ）方向に関しても同様の説明となる。
【００１３】
図６の
(a)は、上方向に５０％シフトした場合
(b)は、上方向に２０％シフトした場合
(a)は、上方向に０％シフトした場合
図７は、図６(a)の上方向に５０％レンズシフトした画像投射装置を用いてスクリーンに投射し、中央はスクリーンに対して正対し、右、左に約３０度回転させて投射した場合の例である。５０％レンズシフトで右左に画像投射装置を回転させると投射面の画像は、底辺は水平のままで上辺が広がるように歪むことになる。
【００１４】
このため、点線のように画像処理で歪ませることでキーストン補正が行われる。
【００１５】
図８は、図６(c)の上方向に０％レンズシフトした画像投射装置を用いてスクリーンに投射し、中央はスクリーンに対して正対し、右、左に約３０度回転させて投射した場合の例である。０％レンズシフトで右左に画像投射装置を回転させると投射面の画像は、底辺と上辺が均等に広がるように歪むことになる。
【００１６】
このため、点線のように画像処理で歪ませることでキーストン補正が行われる。
【００１７】
タテヨコキーストン補正は、上下（タテ）又は左右（ヨコ）の２軸の投射方向に対応したキーストン補正方法であり、後述する情報により決められたキーストン補正パラメータを用いて投射画像を幾何学変形することでキーストン補正を行なう方法である。
【００１８】
前記タテヨコキーストン補正パラメータは、下記の情報により適切な値が決まる。
【００１９】
１．レンズシフト位置（０％、５０％など）
２．投射レンズの画角値（広角、望遠、標準など）
３．パネルアスペクト値（４：３、１６：９など）
４．画像投射装置の設置傾き（上下方向、左右方向）
上記の値に一対一で対応する適切なキーストン補正パラメータを設定することで、タテ又はヨコ方向の２軸の投射方向に対応キーストン補正が可能となる。
【００２０】
このため、例えばレンズシフト位置が５０％（基準位置）のキーストン補正パラメータを設定してる場合に、レンズシフト位置を０％などの異なる位置にすると画像変形によるキーストン補正がずれてしまい歪みが残ってしまう。
【００２１】
同じ理由で、レンズを交換することで投射レンズの画角値（広角、望遠など）が変わった場合、画像変形によるキーストン補正がずれてしまい歪みが残ってしまう。
【００２２】
これらの理由により、レンズシフト可能な画像投射装置は、設定されたキーストン補正パラメータに対してレンズシフト基準位置にてタテヨコキーストン機能を保証している。
【００２３】
同様に、レンズ交換可能な画像投射装置は、設定されたキーストン補正パラメータに対してレンズシフト基準位置にてタテヨコキーストン機能を保証している。
【００２４】
次に図９を用いてタテヨコキーストン補正の例を説明する。
【００２５】
これは図７の左の状態で、レンズシフト５０％で画像投射装置を左に回転させて投射した例である。タテヨコキーストン補正を実行すると(a)の初期状態からヨコキーストン補正操作が所定値（１ステップ）、実行されると(b)のように投射画像が歪んで点線の形状に近づく。更に、タテヨコキーストン補正を実行すると(b)の状態からヨコキーストン補正操作が所定値（１ステップ）、実行され(c)のように投射画像が歪んで点線の形状に重なる。これらの操作によりキーストン補正が正しく行われる。
【００２６】
タテヨコキーストン補正は、上下（タテ）又は左右（ヨコ）の２軸の投射方向に対応したキーストン補正方法であり、補正モードになった後は、リモコンなどの上下左に対応し
単純にタテ又はヨコの４方向で設定することができ操作性が良い。
【００２７】
次に図１０を用いて４コーナーキーストン補正の例を説明する。
【００２８】
(a)は図７の左の状態で、レンズシフト５０％でプロジェクタを左に回転させて投射した例である。４コーナーキーストン補正を実行すると(a)では投射画像の左上コーナーSPが選択され十字のカーソルが表示される。この状態で上下左右のリモコンなどからの操作により投射画像を変形操作し、点線で示されたエリアの左上コーナーにSPポイントを合わせることでキーストン補正が終了する。
【００２９】
(b)は図７の右の状態で、レンズシフト５０％でプロジェクタを右に回転させて投射した例である。４コーナーキーストン補正を実行すると(b)では投射画像の右上コーナーSPが選択され十字のカーソルが表示される。この状態で上下左右のリモコンなどからの操作により投射画像を変形操作し、点線で示されたエリアの右上コーナーにSPポイントを合わせることでキーストン補正が終了する。
【００３０】
４コーナーキーストン補正は、投射画像の４コーナーのいずれかを選択し、投射画像エリア内の所望の位置へ変形させることができる。
【００３１】
１コーナーづつ選択しては上下左右で設定し、また必要に応じて１コーナーを選択しては上下左右で設定する。
【００３２】
４コーナーキーストン補正は、４コーナーを独立して任意の位置へ変形できるのでタテヨコキーストン補正と比較して画像変形の自由度は高いが、４コーナーを微調整する操作が煩雑となる。
【００３３】
また、タテヨコキーストン補正は、操作性は良いが、レンズシフトが基準位置の条件や、投射レンズの画角値によりパラメータを変更する必要がある。
【００３４】
これらの理由により、図１１に示すように従来の画像投射装置では、使用者のユースケースにより、タテヨコキーストン補正と４コーナーキーストン補正をメニューなどで切り替えて操作する構成となっている。
【００３５】
従来の画像投射装置においては、使用説明書などに『レンズシフトを基準位置に戻してからタテヨコキーストン機能を使って下さい』といった記載がされており、誤操作となる問題があった。
【００３６】
つまり、タテヨコキーストン補正パラメータに対応した基準のレンズシフト位置に設定してタテヨコキーストンを実行しないと適切な補正がされず投射画像の歪みが残ってしまう問題があった。
【００３７】
本発明の目的は、レンズシフトした場合やレンズ交換した場合でも、誤操作することなく常に適切なキーストン補正を行うことができる画像投射装置を提供することである。
【００３８】
特に、４コーナーとタテヨコキーストンの２種類のキーストン補正方法を切り替えた場合に、適切なキーストン補正を行うことができる。
【課題を解決するための手段】
【００３９】
上記目的を達成するために、  本発明の画像投射装置は、
投射画像に対して幾何学歪補正を行う歪補正手段と、
前記歪補正手段で補正を行うための補正パラメータを設定する設定手段と、
投射方向に対し鉛直の２方向に対して補正パラメータを設定する第一の補正手段と、
投射画像の複数の位置に対して補正パラメータを設定する第二補正手段と、
投射レンズを交換するレンズ交換手段と、
投射方向を可変する投射レンズシフト手段と、
前記シフト手段の位置検出手段とを有する画像投射装置であって、
前記交換レンズ毎に予め決められた投射レンズシフト基準位置を有し、
前記投射レンズシフト基準位置に対して前記第一の補正手段の補正パラメーターを設定する手段と、
前記投射レンズシフト基準位置が所定の範囲と一致しない場合には前記第一の補正手段による歪補正を選択不可能とすることを特徴とする。
【発明の効果】
【００４０】
本発明によれば、レンズシフトした場合や投射レンズ交換した場合でも誤操作することなく常に適切なタテヨコキーストン補正を行う画像投射装置を提供することができる。
【００４１】
特に、タテヨコキーストンと４コーナーの２種類のキーストン補正方法を切り替え可能な場合に、タテヨコキーストン補正を行う画像投射装置を提供することができる。
【図面の簡単な説明】
【００４２】
【図１】本発明の実施例１の動作を示すメニュー構成図
【図２】本発明の画像投射装置の構成を示すブロック図
【図３】実施例１の画像投射装置の全体操作、調整動作を示すフローチャート
【図４】実施例１の画像投射装置のキーストン調整動作を示すフローチャート
【図５】実施例２の画像投射装置のキーストン調整動作を示すフローチャート
【図６】画像投射装置のタテ方向のレンズシフトについて示した図
【図７】上方向５０％レンズシフトし、中央、右、左に各約３０度回転させて投射した場合の投射面の画像変形を示す図
【図８】上方向０％レンズシフトし、中央、右、左に各約３０度回転させて投射した場合の投射面の画像変形を示す図
【図９】上方向５０％レンズシフトでタテヨコキーストン補正の動作例を示す図
【図１０】上方向５０％レンズシフトで４コーナーキーストン補正の動作例を示す図
【図１１】従来の画像投射装置のメニュー構成を示す図
【発明を実施するための形態】
【００４３】
以下に、本発明の好ましい実施の形態を、図面に基づいて詳細に説明する。
【００４４】
図１は本発明における実施例１の画像投射装置のメニュー表示を示す図である。
【００４５】
キーストン補正としてタテヨコと４コーナーの２種類の補正方法を使用者にメニューから選択させる場合のれいである。交換レンズ毎にあらかじめ決められたレンズシフト基準位置のシフト状態により２つの表示方法が選択される。
【００４６】
図１(a)は．レンズシフト基準位置の場合で、従来と同様に、タテヨコと４コーナーのどちらも選択可能である。
【００４７】
図１(b)は．レンズシフト基準位置でない場合で、タテヨコはグレーアウトされ選択不可で、４コーナーのみ選択可能である。
【００４８】
レンズシフトの位置が基準位置でない場合は、誤ってキーストン補正としてタテヨコが選択されることがないため、使用者の誤操作を防止できる。
【００４９】
レンズシフト基準位置の場合にタテヨコキーストンのパラメータ補正パラメーターが設定されてるためで、基準位置以外で使用すると画像投射装置を傾けて設置し、キーストン補正しても正確に歪補正できない問題を回避できる。
【００５０】
図２は本発明における実施例１の画像投射装置の主な構成を示す図である。
【００５１】
最初に映像入力の流れに関係する構成を説明する。
【００５２】
外部からの映像入力２０と、入力信号処理部１４と、キーストン歪補正部１５と、OSD付加手段１６と、液晶パネルドライブ１７と、液晶パネル１１により光変調され投射レンズ１２，１３を通ってスクリーン２００へ投射され表示される。
【００５３】
PCやAV機器などの外部ソースからの映像信号が、映像入力２０として、入力信号処理部１４に入力され同期処理や信号検出などの後、キーストン歪補正部１５にて画像処理による画像変形が行われる。次に、メニューなどのオンスクリーンディスプレイを画像に多重するOSD付加手段１６を通り、液晶パネルドライブ１７を通り液晶パネル１１により光変調され投射レンズ１２，１３を通ってスクリーン２００へ投射され表示される。
【００５４】
次に制御系の流れに関係する構成を説明する。
【００５５】
制御系は、リモコン、操作パネル、外部通信などによる操作部１と、プログラムや画像処理パラメータ、キーストン補正パラメータなどが記憶されるメモリ２と、マイクロコンピュターCPU１９やシフト制御手段１８などによる制御部３とからなる。
【００５６】
シフト制御手段１９は、操作部からの操作により光学レンズシフトを行ない、シフト駆動部６へ駆動制御信号を通知し、詳細は不図示なメカ的な機構により、投射方向に対して、縦または横方向にレンズシフトモーター７を駆動する。
【００５７】
前記駆動結果は、エンコーダーなどから成るセンサー８で駆動方向と駆動位置情報を、シフト位置検出部５へ通知し、制御部３内のシフト制御手段１８へ通知される。
【００５８】
このような動作により、制御部３は、レンズシフト駆動と位置情報を認識することができる。
【００５９】
例えば、レンズシフトの基準位置が５０％の場合には、シフト位置検出部５の情報を検出しながら、基準位置と一致するまでシフト駆動部６へ駆動制御信号を通知し制御することでレンズシフト５０％の基準位置に設定することができる。
【００６０】
また、シフト位置検出部５の情報により、レンズシフトの基準位置がずれているかを常に認識することができる。
【００６１】
また、制御部３は、リモコンのメニューボタンが押されると操作部１からメニュー表示を指示する信号を受信し、オンスクリーンディスプレイを画像に多重するOSD付加手段１６に対して所定の設定を行なうことで投射画像にメニュー表示することができる。
【００６２】
また、制御部３は、リモコンのキーストン操作ボタンが押されると操作部１からキーストン操作メニュ表示を指示する信号を受信し、OSD付加手段１６に対して所定の設定を行なうとともに、所定のキーストン補正パラメータをキーストン歪補正部１５に設定することで投射画像のキーストン歪み補正を行なうことができる。
【００６３】
つまり、キーストン歪み補正手段としてのキーストン歪補正部１５は、後述する投射レンズに関する各種情報に対応して設定された補正パラメータと画像投射装置の傾きに関する情報に従い、液晶パネル１１に供給する画像信号に対してキーストン歪補正を行う。
これらの制御処理は、制御部３に接続されたメモリ内のプログラムに従って実行される。
【００６４】
次に光学系の流れに関係する構成を説明する。
【００６５】
図２において、高圧水銀ランプなどからなる光源１０からの光が、光変調素子である液晶パネル１１により変調され本体内蔵の投射レンズ１２と，交換レンズ部１００を通ってスクリーン２００へ投射され表示される。
【００６６】
交換レンズ部１００は、画像投射装置の本体と分離することが可能な構成で、広角、望遠、標準など複数のタイプの交換レンズである。
【００６７】
また、交換レンズ部１００は、投射レンズであり不図示のズームやフォーカス機能を有する投射レンズ１３と、メモリ９からなる。
【００６８】
異なる画角値（広角、望遠、標準など）、レンズシフト情報などの投射レンズ固有の情報を本体の交換レンズ検出部４から制御部３に通知する。
【００６９】
交換レンズ部１００のメモリ９には、投射レンズの名称や、レンズ毎に異なる画角値（広角、望遠、標準など）や、光軸のシフト量、レンズ歪み等の光学特性等の投射レンズ情報が記憶されている。
【００７０】
不図示のズームレンズなどで画角値が変化する場合にもメモリ９内部の画角値やレンズシフト情報が正しい値に更新されるように構成されている。
【００７１】
制御部３は、必要な場合に、メモリ９内の各種パラメータを交換レンズ検出部を通じて取得することができる。
【００７２】
また、メモリ９は、本実施例では、交換レンズ部１００内部に設けたが、各種情報が正しく本体に通知される構成であれば、スイッチ回路や通信手段でなどで参照可能とし、実際の情報記憶手段は本体メモリ１構成しても良い。
【００７３】
レンズシフト制御手段は、画像投射装置の本体にあり、制御部３内部のシフト制御手段１８からの制御信号がシフト駆動部６に通知されモーター７を駆動することで実行される。更に、センサー８からの信号がシフト位置検出部５通知されシフト制御手段１８にてレンズシフト位置情報が制御部３が認識する。
【００７４】
ここで、タテヨコキーストン調整用のキーストン補正パラメーターについて更に詳しく説明する。
【００７５】
キーストン補正パラメーターは、交換レンズ毎に、レンズシフト位置が基準位置に対して適切な調整ができるように予め作成し、設定される。
【００７６】
従来の問題でも説明したように、タテヨコキーストン用補正パラメータは、下記の情報に一対一で対応して適切な値が決まる。
【００７７】
１．レンズシフト位置（０％、５０％など）
２．投射レンズの画角値（広角、望遠、標準など）
３．パネルアスペクト値（４：３、１６：９など）
４．画像投射装置の設置傾き（上下方向、左右方向）
例えば、広角レンズの場合には、レンズシフト基準位置を０％に対応した、キーストン補正パラメーターを予め作成し、設定することでタテヨコキーストン調整が適切に実行できる。
【００７８】
また、望遠レンズの場合には、レンズシフト基準位置を０％に対応した、キーストン補正パラメーターを予め作成し、設定することでタテヨコキーストン調整が適切に実行できる。
【００７９】
また、標準レンズの場合には、レンズシフト基準位置を５０％に対応した、キーストン補正パラメーターを予め作成し、設定することでタテヨコキーストン調整が適切に実行できる。
【００８０】
このように、交換レンズ毎に、レンズシフト位置が基準位置に対して適切な調整ができるように予め作成し、設定される。
【００８１】
このため、レンズシフトが対応する基準位置からずれた状態でタテヨコキーストン調整を実行すると、投射画像を幾何学変形する補正では対応できず、歪みが残ってしまう問題がある。
【００８２】
図３は、制御部３により行われるレンズシフト操作や、キーストン操作などいついて、全体の操作をするための処理を、フローチャートにして示している。
【００８３】
これらの制御処理は、制御部３に接続されたメモリ内のプログラムに従って実行される。スタートすると、ステップＳ３１では、リモコン操作部１からの信号を制御部３が検出し、レンズシフト操作がされたか否かを判別する。
【００８４】
操作入力がされていない場合は、次のステップＳ３３での処理へ分岐し、レンズシフト操作がされた場合は、ステップＳ３２にてレンズシフト調整処理を実行する。
【００８５】
ステップＳ３２では、画像投射装置の投射方向に対して、タテヨコの２方向のレンズシフト駆動処理が実行され終了すると、次のステップＳ３３へ戻る。
【００８６】
ステップＳ３３では、リモコン操作部１からの信号を制御部３が検出し、キーストン操作がされたか否かを判別する。
【００８７】
操作入力がされていない場合は、本ステップＳ３１での処理に戻って繰り返し、操作入力がされた場合は、ステップＳ３４に進む。
【００８８】
ステップＳ３４では、画像投射装置の投射方向に対して、タテヨコの２方向のキーストンまたは、４コーナーのキーストン補正処理が実行され終了すると、本ステップＳ３１での処理に戻って繰り返す。
【００８９】
上記フローチャートは、単純にリモコン操作などからレンズシフト操作要求があればレンズシフト調整を実行し、キーストン操作要求があればレンズシフト調整を実行するものである。
【００９０】
図４は、本発明の実施例１の画像投射装置のキーストン調整動作を示すフローチャートを示し、図３のステップＳ３４のキーストン調整の詳細動作に対応する。
【００９１】
これらの制御処理は、制御部３に接続されたメモリ内のプログラムに従って実行される。図３のステップＳ３４に対応するキーストン調整処理がスタートすると、ステップＳ４１でレンズシフトが基準位置からずらされたか否かを判別する。
【００９２】
レンズシフトが基準位置の場合には、レンズシフトが基準位置の場合は、次のステップＳ４２の処理へ分岐し、レンズシフトが基準位置でない場合には、ステップＳ４６に分岐する。
【００９３】
ステップＳ４２では、タテヨコキーストンまたは、４コーナーのキーストン調整のどちらも選択可能であることを示すメニューが表示される。
【００９４】
ステップＳ４３では、リモコン操作部１からの信号を制御部３が検出し、タテヨコキーストン調整操作が選択されたか否かを判別する。
【００９５】
タテヨコキーストン調整が選択されていない場合は、次のステップＳ４４での処理に進み、選択された場合は、ステップＳ４９に進み、タテヨコキーストン調整を実行し、キーストン調整を完了する。
【００９６】
ステップＳ４４では、リモコン操作部１からの信号を制御部３が検出し、４コーナーキーストン調整操作が選択されたか否かを判別する。
【００９７】
４コーナーキーストン調整が選択されていない場合は、キーストン調整を完了し、選択された場合は、ステップＳ４５に進み、４コーナーキーストン調整を実行し、キーストン調整を完了する。
【００９８】
レンズシフトが基準位置でない場合には、次のステップＳ４６へ進み、タテヨコキーストン調整は非表示とし選択不可能に設定し、４コーナーのキーストン調整のみが選択可能であることを示すメニューが表示される。
【００９９】
ステップＳ４７では、リモコン操作部１からの信号を制御部３が検出し、４コーナーキーストン調整操作が選択されたか否かを判別する。
【０１００】
４コーナーキーストン調整が選択されていない場合は、キーストン調整を完了し、選択された場合は、ステップＳ４８に進み、４コーナーキーストン調整を実行し、キーストン調整を完了する。
【０１０１】
図４のフローチャートの動作は、レンズシフトが基準位置でない場合には、タテヨコキーストン調整を選択不可能とし、４コーナーキーストン調整のみを選択可能としている。
【０１０２】
これは、タテヨコキーストン調整用の補正パラメーターがレンズシフトが基準位置に対して適切な調整ができるように作成し、設定されるためである。
【０１０３】
このため、画像投射装置の使用者が、レンズシフトが基準位置でない場合に誤ってタテヨコキーストン調整を選択しキーストン歪み補正が不十分な状態に陥ることを防止できる。つまり、使用者の誤操作を未然に防ぐ効果がある。
【０１０４】
［実施例２］
図１は本発明における実施例２の画像投射装置の主な構成を示す図であり、第一の実施例と構成は同じである。
【０１０５】
実施例１では、レンズシフトが基準位置でない場合には、タテヨコキーストン調整を選択不可能としていたが、使用者が、タテヨコキーストン調整を選択しずらいと感じる可能性がある。
【０１０６】
実施例２では、上記の点を更に改善した例で、タテヨコキーストン調整を選択した場合には自動的に、レンズシフトを基準位置に設定したものである。
【０１０７】
図５は、本発明の実施例２の画像投射装置のキーストン調整動作を示すフローチャートを示し、図３のステップＳ３４のキーストン調整の詳細動作に対応する。
【０１０８】
これらの制御処理は、制御部３に接続されたメモリ内のプログラムに従って実行される。図３のステップＳ３４に対応するキーストン調整処理がスタートすると、ステップＳ５１では、タテヨコキーストンまたは、４コーナーのキーストン調整のどちらも選択可能であることを示すメニューが表示される。
【０１０９】
ステップＳ５２では、リモコン操作部１からの信号を制御部３が検出し、タテヨコキーストン調整操作が選択されたか否かを判別する。
【０１１０】
タテヨコキーストン調整が選択されていない場合は、次のステップＳ５３での処理に進み、選択された場合は、ステップＳ５５に進む。
【０１１１】
ステップＳ５２では、リモコン操作部１からの信号を制御部３が検出し、タテヨコキーストン調整操作が選択されたか否かを判別する。
【０１１２】
タテヨコキーストン調整が選択されていない場合は、次のステップＳ５３での処理に進み、選択された場合は、ステップＳ５５に進む。
【０１１３】
ステップＳ４４では、リモコン操作部１からの信号を制御部３が検出し、４コーナーキーストン調整操作が選択されたか否かを判別する。
【０１１４】
４コーナーキーストン調整が選択されていない場合は、キーストン調整を完了し、選択された場合は、ステップＳ５４に進み、４コーナーキーストン調整を実行し、キーストン調整を完了する。
【０１１５】
ステップＳ５５では、レンズシフトが基準位置からずらされたか否かを判別する。レンズシフトが基準位置の場合は、次のステップＳ５７のタテヨコキーストン調整を実行しキーストン調整を完了する。
【０１１６】
レンズシフトが基準位置でない場合には、ステップＳ５６に分岐する。ステップＳ５６では、現在使用している投射レンズのキーストン情報を取得し補正パラメーターを設定し、レンズシフト位置が基準位置に戻る処理を自動的に実行し終了後、ステップＳ５７のタテヨコキーストン調整を実行し完了する。
【０１１７】
ステップＳ５６で、現在使用している投射レンズのキーストン情報を取得し補正パラメーターを設定するため、投射レンズが交換された場合であっても、タテヨコキーストン調整が適切に実行できる。
【０１１８】
図５のフローチャートの動作は、レンズシフトが基準位置でない場合には、レンズシフトを自動的に基準位置に移動してから、タテヨコキーストン調整を実行させている。
【０１１９】
このような動作が必要な理由は、タテヨコキーストン調整用の補正パラメーターがレンズシフト基準位置に対して適切な調整ができるように作成し、設定されるためである。
【０１２０】
このため、画像投射装置の使用者が、レンズシフトが基準位置でない場合に誤ってタテヨコキーストン調整を選択しキーストン歪み補正が不十分な状態に陥ることを防止できる。つまり、使用者の誤操作を未然に防ぐ効果がある。
【０１２１】
更に、ステップＳ５６で、現在使用している投射レンズのキーストン情報を取得し補正パラメーターを設定するため、投射レンズが交換された場合であっても、タテヨコキーストン調整が適切に実行できる。
【０１２２】
以上、本発明の好ましい実施形態について各々説明したが、本発明はこれらの実施形態に限定されず、その要旨の範囲内で種々の変形及び変更が可能である。
【０１２３】
例えば、上記実施例では、交換レンズの場合について説明したが、投射レンズと本体が一体としても良い。
【０１２４】
また、上記実施例では、メモリ９の中に、投射レンズの名称や、レンズ毎に異なる画角値（広角、望遠、標準など）、またはズーム値、光軸のシフト量、レンズ歪み等の光学特性等の投射レンズ情報が記憶されていると説明した。
【０１２５】
しかし、メモリ９には、他のメモリに記憶されている補正パラメータを参照するためのアドレス等の情報が記憶されているものとしても良い。
【０１２６】
また、上記実施例ではメモリを物理的に複数箇所に分ける場合について説明した。しかし、メモリは画像投射装置、交換レンズ、或は外部のコンピュータ等のアクセス可能な場所に持ち、論理的に分けて記憶手段として用いる構成としても良い。
【０１２７】
また、上記実施例では補正パラメータをキーストン補正部１５に設定する場合について説明した。しかし、キーストン補正部１５に設定する補正パラメータは、補正パラメータの実体が記憶されているメモリを参照するためのアドレス等の情報であっても良い。
【０１２８】
また、上記実施例では幾何学歪み補正としてキーストン補正を行う場合について説明した。しかし、幾何学歪み補正としては、レンズディストーションの補正等、キーストン歪み補正以外の幾何学歪み補正を行う構成としても良い。
【０１２９】
また、上記実施例では、傾きが変化する度にキーストン補正部１５に補正パラメータを設定する場合について説明した。
【０１３０】
しかし、補正パラメータはレンズが交換されたときだけ設定し、傾きのみが変化した場合は角度情報のみをキーストン補正部１５に設定する構成としても良い。
【０１３１】
また、上記実施例では、キーストン補正部１５に設定を行うタイミングを操作部１によるリモコンなどの操作入力によるものとする場合について説明した。
【０１３２】
しかし、このタイミングはレンズ交換を検知した場合や時間経過等のその他のタイミングによるものとしても良い。
【符号の説明】
【０１３３】
１  操作部
２  メモリ
３  制御部
４  メモリ
５  シフト位置検出部
６  シフト駆動部
７  レンズシフトモーター
８  センサー
９  メモリ
１０  光源
１１  液晶パネル
１２  投射レンズ
１３  投射レンズ
１４  入力信号処理部
１５  キーストン歪補正部
１６  OSD付加手段
１７  液晶パネルドライブ
１８  シフト制御手段
１９  CPU
２０  映像入力
２００  スクリーン
【図２】
2015145895.tif 000003
【図３】
2015145895.tif 000004
【図４】
2015145895.tif 000005
【図５】
2015145895.tif 000006
【図６】
2015145895.tif 000007
【図７】
2015145895.tif 000008
【図８】
2015145895.tif 000009
【図９】
2015145895.tif 000010
【図１０】
2015145895.tif 000011
【図１１】
2015145895.tif 000012
【図１】
2015145895.tif 000013